(57)【要約】【課題】  部品点数の少ない、かつ、単純な構造の遊技機の可変入賞装置を提供する。【解決手段】  遊技球を打ち込み可能な遊技盤（７）に多数の釘（１０）とともに設置可能であり、設置した遊技盤の背面側に入賞した遊技球を落下させるための落下機構を備える遊技機の可変入賞装置（３１）であって、当該落下機構には、第１の落下路（３７）と、当該第１の落下路と別個の第２の落下路（３８）と、遊技球を湾曲によって当該第１の落下路又は当該第２の落下路の何れかに切替案内するためのバイメタルゲート（４０）と、当該バイメタルゲートに通電するための通電ライン（４０ｗ）と、を設けてある。バイメタルゲートの湾曲のみによって落下路切替ができるので、少ない部品で済むし、構造が簡単である。【選択図】    図４
2005185564.tif 000002
【特許請求の範囲】
【請求項１】
遊技球を打ち込み可能な遊技盤に多数の釘とともに設置可能であり、設置した遊技盤の背面側に入賞した遊技球を落下させるための落下機構を備える遊技機の可変入賞装置であって、
当該落下機構には、第１の落下路と、当該第１の落下路と別個の第２の落下路と、遊技球を湾曲によって当該第１の落下路又は当該第２の落下路の何れかに切替案内するためのバイメタルゲートと、当該バイメタルゲートに通電するための通電ラインと、を設けてある
ことを特徴とする遊技機の可変入賞装置。
【請求項２】
遊技球を打ち込み可能な遊技盤と、
当該遊技盤に多数の釘とともに設けた少なくとも１個の変動入賞口と、
当該遊技盤の当該変動入賞口を含む位置に設けた可変入賞装置と、を備え、
当該可変入賞装置には、入賞した遊技球を当該遊技盤の背面側に落下させるための落下機構を設けてあり、
当該落下機構には、第１の落下路と、当該第１の落下路と別個の第２の落下路と、遊技球を湾曲によって当該第１の落下路又は当該第２の落下路の何れかに切替案内するためのバイメタルゲートと、通電ラインを介して当該バイメタルゲートの制御を行うためのゲート制御手段と、を設けてある
ことを特徴とする可変入賞装置を備える遊技機。
【請求項３】
前記遊技盤に、さらに設けた始動入賞口と、
当該始動入賞口に入賞した遊技球を検知するための始動入賞口センサと、
当該始動入賞口センサが出力する入賞信号に応じて当り外れを抽選するための抽選手段と、
前記変動入賞口を開閉するための開閉部材と、
当該開閉部材を駆動するためのソレノイドと、
当該ソレノイドを制御するためのソレノイド制御手段と、
当該抽選手段の抽選結果が当りであるときに、当該ソレノイド制御手段が当該ソレノイドを作動させるように構成してある
ことを特徴とする請求項２記載の可変入賞装置を備える遊技機。
【発明の詳細な説明】
【技術分野】
【０００１】
本発明は、入賞した遊技球（入賞球）を、その落下経路を振り分けることのできる遊技機の可変入賞装置及び可変入賞装置を備える遊技機に関するものである。可変入賞装置は、落下経路に応じて入賞球を振り分けることによって、たとえば、賞球払出数を変化させるなどによりゲーム性を高めることに寄与させることができる。
【背景技術】
【０００２】
特許文献１には、遊技球を打ち込み可能な遊技盤に多数の釘とともに設置可能であり、設置した遊技盤の背面側に入賞した遊技球を落下させるための落下機構を備えるパチンコ機が開示されている。この落下機構は、天秤に似た形状の振り分け部材と、この振り分け部材を揺動させるためのソレノイドから概ね構成されている。また、特許文献２には、玉受け部材を駆動する手段としてバイメタルを使用した可変入賞装置が開示されている。
【特許文献１】特開２００２−２６３２７６号公報（段落００２６、図１参照）
【特許文献２】実開平１−１７６４８０号公報（５乃至６頁、第１図参照）
【発明の開示】
【発明が解決しようとする課題】
【０００３】
特許文献１が開示する振り分け部材とソレノイドの組み合わせであれば、確実な動作が期待できるので、その点において問題はない。しかし、そのような組み合わせは比較的部品点数が多く複雑であることから、部品点数の少ない、かつ、単純な構造による入賞球振り分けが望まれていた。そこで、本発明は、そのような要望に応えるためのものであって、部品点数を必要最小限に抑え単純な構造により入賞球の振り分けを実現させることを目的とする。なお、特許文献２が開示するバイメタルを使用した可変入賞装置は、玉受け部材を遊技盤の面に対して平行移動させることにより入賞確率の変動を目的とするものであって、入賞口を通過した入賞球を振り分けるためのものではない。
【課題を解決するための手段】
【０００４】
上記課題を解決するために鋭意開発を重ねた発明者は、振り分け部材を複数種（２種又はそれ以上）の金属を合わせて構成したバイメタルそのものを入賞球振り分けのためのゲートとして使用することを考案した。すなわち、通電によるバイメタルゲートの湾曲だけで入賞球を振り分ければ、単純な構造でありながら確実に入賞球を振り分けることができる。本発明は、そのよう観点からなされたものである。その詳細な構成については、項を改めて説明する。なお、何れかの請求項記載の発明の説明に当たって行う用語の定義等は、その性質上可能な範囲において他の請求項記載の発明にも適用があるものとする。
【０００５】
（請求項１記載の発明の特徴）
請求項１記載の発明に係る遊技機の可変入賞装置（以下、適宜「請求項１の入賞装置」という）は、遊技球を打ち込み可能な遊技盤に多数の釘とともに設置可能であり、設置した遊技盤の背面側に入賞した遊技球を落下させるための落下機構を備えている。当該落下機構には、第１の落下路と、当該第１の落下路と別個の第２の落下路と、遊技球を湾曲によって当該第１の落下路又は当該第２の落下路の何れかに切替案内するためのバイメタルゲートと、当該バイメタルゲートに通電するための通電ラインと、を設けてある。この通電ラインには、遊技機が備える制御手段の制御に服する電源から電力が供給される。バイメタルゲートの構造には、たとえば、２種又はそれ以上の金属を合わせてなるバイメタルの各金属にヒーターを設け、そのヒーターに通電して発生する熱を利用して湾曲させるものと、バイメタルの各金属に直接通電して発生するジュール熱を利用して湾曲させるものがある。
【０００６】
請求項１の入賞装置によれば、遊技機の遊技盤に取り付けた可変入賞装置に遊技球が入賞すると、その入賞に係る入賞球はバイメタルゲートの湾曲方向に規制されて第１の落下路又は第２の落下路に切替案内され、そこから遊技盤の背面側に落下する。バイメタルゲートには通電ラインを介して電力が供給され、その電力により加熱される。加熱されたバイメタルゲートは湾曲することになり、この湾曲によって、第１の落下路又は第２の落下路の何れかを閉鎖又は開放する。バイメタルゲートの制御は通電を制御するだけで行うことができるので、単純な構造ながら確実な入賞球の振り分けが実現する。
【０００７】
（請求項２記載の発明の特徴）
請求項２記載の発明に係る可変入賞装置を備える遊技機（以下、適宜「請求項２の遊技機」という）は、遊技球を打ち込み可能な遊技盤と、当該遊技盤に多数の釘とともに設けた少なくとも１個の変動入賞口と、当該遊技盤の当該変動入賞口を含む位置に設けた可変入賞装置と、を備え、当該可変入賞装置には、入賞した遊技球を当該遊技盤の背面側に落下させるための落下機構を設けてあり、当該落下機構には、第１の落下路と、当該第１の落下路と別個の第２の落下路と、遊技球を湾曲によって当該第１の落下路又は当該第２の落下路の何れかに切替案内するためのバイメタルゲートと、通電ラインを介して当該バイメタルゲートの制御を行うためのゲート制御手段と、を設けてある。
【０００８】
請求項２の遊技機によれば、遊技機の遊技盤に取り付けた変動入賞口に遊技球が入賞すると、その入賞に係る入賞球は可変入賞装置のバイメタルゲートの湾曲方向に規制されて第１の落下路又は第２の落下路に切替案内され、そこから遊技盤の背面側に落下する。バイメタルゲートには通電ラインを介して電力が供給され、その電力により加熱される。加熱されたバイメタルゲートは湾曲することになり、この湾曲によって、第１の落下路又は第２の落下路の何れかを閉鎖又は開放する。バイメタルゲートの制御は、ゲート制御手段によって通電を制御するだけで行うことができるので、単純な構造ながら確実な入賞球の振り分けが実現する。
【０００９】
（請求項３記載の発明の特徴）
請求項３記載の発明に係る可変入賞装置を備える遊技機（以下、適宜「請求項３の遊技機」という）は、請求項２の遊技機であって、前記遊技盤に、さらに設けた始動入賞口と、当該始動入賞口に入賞した遊技球を検知するための始動入賞口センサと、当該始動入賞口センサが出力する入賞信号に応じて当り外れを抽選するための抽選手段と、前記変動入賞口を開閉するための開閉部材と、当該開閉部材を駆動するためのソレノイドと、当該ソレノイドを制御するためのソレノイド制御手段と、当該抽選手段の抽選結果が当りであるときに、当該ソレノイド制御手段が当該ソレノイドを作動させるように構成してある。すなわち、請求項３の遊技機における変動入賞口は、いわゆる大入賞口として機能する。
【００１０】
請求項３の遊技機によれば、請求項２の遊技機の作用効果に加え、可変入賞装置が、いわゆる大入賞口に入賞した入賞球の振り分けに用いられる。変動入賞口（大入賞口）は、始動入賞口に入賞があったときに行われる抽選結果に応じて開閉する。具体的には、遊技機が有する、たとえば、主制御基板が抽選を行うことになるが、この抽選結果が当りであるときに、ソレノイド制御手段に指令を送りソレノイドを駆動させて開閉部材を所定時間毎に所定回数開閉させる。開閉部材が開放しているときに入賞した入賞球は、バイメタルゲートの働きにより第１の落下路又は第２の落下路の何れかから遊技盤背面側に落下する。
【発明の効果】
【００１１】
本発明によれば、可変入賞装置及び可変入賞装置を備えた遊技機を、少ない部品によって単純に構成することができる。
【発明を実施するための最良の形態】
【００１２】
各図を参照しながら、遊技機の代表例であるパチンコ機について説明する。図１は、パチンコ機の正面図である。図２は、図１に示すパチンコ機の斜視図である。図３乃至５は、本実施形態に係る可変入賞装置の斜視図である。図６は、パチンコ機の制御系を示すブロック図である。図７は、パチンコ遊技の流れを示すフローチャートである。図８は、本実施形態の変形例に係る可変入賞装置の斜視図である。図９は、図８に示す可変入賞装置の平面図である。図１０は、図８に示す可変入賞装置の正面図である。
【００１３】
（パチンコ機の概略構造）
図１及び２に示すようにパチンコ機１は、外枠３と、外枠３に対して開閉可能な機構枠５と、機構枠５に対して開閉可能なガラス枠２７と、を有している。外枠３は、パチンコ機１の基本となる矩形枠であって、パチンコ島（図示を省略）に直接取り付けられるように構成してある。機構枠５は遊技盤７を備え、遊技盤７は、ガイドレール８を備え、ガイドレール８に囲まれた領域が遊技領域９となる。遊技領域９内の遊技盤７には前面に渡って多数の釘１０を打ち込んであり、パチンコ球の落下経路を変更させるための風車１１，・・を取り付けてある。符号１２，・・は入賞口を示しており、これらの入賞口１２，・・にパチンコ球が入賞したときに賞球払出装置４１（図６参照）によって賞球が遊技者に払い出されるようにしてある。遊技領域９の略中央には可変表示装置１３を、その下方にはパチンコ球の入賞により可変表示装置１３を始動させるための始動入賞口１４を、それぞれ設けてある。
【００１４】
ガラス枠２７下方の機構枠５には、パチンコ球を受けるための上皿１７及び上皿１７から落ちるパチンコ球を受けるための下皿１８を設けてあり、下皿１８には、灰皿１９も設けてある。ハンドル２１は、機構枠５から突出する回転軸（図示を省略）に取り付けてあり、この回転軸とともに回転するようにしてある。ハンドル２１は、それを時計方向に回転させたきの回転角度に応じてパチンコ球の発射強度が変化するように設定してある。ハンドル２１は、反時計方向に復帰付勢力を与えてあり、手を離すと自動的に元の位置に復帰するようにしてある。符号２５は、効果音等を出力するためのスピーカを示している。
【００１５】
可変表示装置１３には、各種の図柄を表示可能な液晶表示部１３ａを設けてあり、この液晶表示部１３ａに表示させる図柄には、文字（たとえば、英数字や漢字）、図形（たとえば、キャラクター、惑星等の絵）、記号（たとえば、「！」や「？」）等ある。図柄は、色彩を含み、動画であると静止画であるとを問わない。可変表示装置１３は、このような図柄を表示することによって各種の演出を行うとともに遊技情報を遊技者に提供する。
【００１６】
始動入賞口１４の下方には、大入賞口１５を設けてある。大入賞口１５は開閉部材１６によって開閉可能に構成してあり、いわゆる大当り状態の際に所定時間に渡る開閉部材１６の開放によって多数のパチンコ球を入賞させられるようにしてある。大入賞口１５には、次に述べる可変入賞装置３１を設置してある。
【００１７】
（可変入賞装置の構造）
図１乃至５を参照しながら説明する。可変入賞装置３１は、飾り板２９を介して遊技盤７に設置してある。図３乃至５に示すように、可変入賞装置３１は、大入賞口１５方向に開口する平面視「コ」字状の側壁部３３、大入賞口１５から入賞したパチンコ球を受ける傾斜床部３４、仕切壁３５，３５と、正面から見て傾斜床部３４の奥に位置する振分傾斜部３６と、バイメタルゲート４０と、から概ね構成してあり、これらの部材が、落下機構を構成する。これらの部材は、バイメタルゲート４０を除いて合成樹脂製とするとよい。各部材を一体成形できるので製造が簡単であることと、金属などに比べて比較的軽量であるため扱い易いこと、がその理由である。
【００１８】
傾斜床部３４は、大入賞口１５から振分傾斜部３６に向って下り傾斜させてあり、これによって、入賞したパチンコ球が振分傾斜部３６に向って転動し易くしてある。仕切壁３５，３５は、大入賞口１５から振分傾斜部３６に向って幅狭になるように、すなわち、大入賞口１５を手前にして上から見たとき「ハ」字状になるように構成してある。これは、大入賞口１５から入賞したパチンコ球の進路を限定することによってバイメタルゲート４０を湾曲させるベき領域を狭くするためである。振分傾斜部３６は、大入賞口１５から見て小高い山形状に形成してあり、向って左側に下り傾斜する第１傾斜路３７ａを、同じく右側に第２傾斜路３８ａを、それぞれ備えている。第１傾斜路３７ａの裾野部分には、パチンコ球を落下させるための第１落下孔３７ｈを形成してあり、第１傾斜路３７ａ及び第１落下孔３７ｈは、第１の落下路３７を構成する。また、第２傾斜路３８ａの裾野部分には、同じく第２落下孔３８ｈを形成してあり、第２傾斜路３８ａ及び第２落下孔３８ｈは、第２の落下路３８を構成する。
【００１９】
バイメタルゲート４０は、異なる２種の金属板４０ａと金属板４０ｂとを接合して細長い板状に形成したものであって、幅方向を垂線方向と一致させた状態で振分傾斜部３６の頂上に固定してある。符号４０ｄは、固定用のボルトを示している。バイメタルゲート４０には、通電ライン４０ｗを介して金属板４０ａと金属板４０ｂとに個別に通電可能に構成してある。金属板４０ａと金属板４０ｂとは、互いに熱膨張係数が異なり通電によってジュール熱が発生する金属によって構成してある。したがって、たとえば、金属板４０ａにのみ通電すると金属板４０ａが過熱されて膨張するが、金属板４０ｂはそれ程膨張しない。このため、バイメタルゲート４０は、図４における右方向に湾曲して第２の落下路３８を閉鎖する。したがって、この場合は、第１の落下路３７へ入賞球を案内することになる。これとは逆に金属板４０ｂにのみ通電すると、バイメタルゲート４０は、図５に示すように左方向に湾曲して第１の落下路３７を閉鎖して第２の落下路３８を開放する。このように、通電対象を金属板４０ａとするか、金属板４０ｂとするかによって、第１の落下路３７又は第２の落下路３８の何れかにパチンコ球を切替案内することができる。
【００２０】
（制御系の構造）
図６を参照しながら説明する。制御系は主制御基板６１を中心として、払出制御基板６３、音声制御基板６５、発射制御基板６７、表示制御基板６９、ゲート制御基板７３等、機能毎に分類して構成してある。これらの各制御基板は、主制御基板６１とともに管理制御基板７５を介してホールコンピュータ７７に接続してある。主としてパチンコ機１の稼動状況を管理するためである。主制御基板６１には、遊技に関する基本的なプログラムを記憶させてあり、この主制御基板６１の指令信号に基づいて上記の各制御基板が稼動するように構成してある。
【００２１】
払出制御基板６３は、賞球となるパチンコ球の払出を行う賞球払出装置４１の払出賞球数を制御する機能を有している。音声制御基板６５は、スピーカ２５，２５に出力させる効果音等の制御機能を有している。発射制御基板６７は、遊技者のハンドル２１の操作に基づくパチンコ球の発射を制御する機能を有している。表示制御基板６９は、表示ドライバ７１を介して可変表示装置１３に接続してあり、可変表示装置１３に予め定めた演出等を表示させる遊技制御手段として機能する。ゲート制御基板７３は、電源４９を介してバイメタルゲート４０への通電を制御する機能を有している。すなわち、バイメタルゲート４０を構成する金属板４０ａ又は金属板４０ｂの何れかにのみ通電を行い、これによって、バイメタルゲート４０を湾曲させる役割を担っている。
【００２２】
主制御基板６１には、さらに、始動口センサ８１、入賞口センサ８３、大入賞口センサ８５、Ｖセンサ８７、ソレノイド８９を、それぞれ接続してある。始動口センサ８１は、始動入賞口１４に入賞したパチンコ球を、入賞口センサ８３は、各入賞口１２のそれぞれに設けてありそれぞれの入賞口１２に入賞したパチンコ球を、それぞれ検知するためのものである。大入賞口センサ８５は、大入賞口１５に入賞したパチンコ球を検知するためのものである。Ｖセンサ８７は、大入賞口１５に入賞したパチンコ球が予め定めた落下孔（本実施形態では第１落下孔３７ｈ）を通過したことを検知するためのものである。ソレノイド８９は、大入賞口１５の開閉部材１６を開閉させるためのものである。さらに、主制御基板６１は、可変表示装置１３に表示させる図柄の抽選機能、大入賞口１５の開閉の切替、各々の開閉のタイミング抽選機能及び払出賞球数の決定機能を備えている。すなわち、主制御基板６１は、遊技制御手段として機能するほか、図柄抽選手段、タイミング抽選手段及び払出賞球数決定のための抽選手段としての機能をも備えている。詳細は、パチンコ遊技の流れの中で説明する。
【００２３】
（パチンコ遊技の流れ）
図１乃至７を参照しながら、パチンコ遊技の流れについて説明する。まず、遊技者がハンドル２１を操作すると、パチンコ球が発射される。発射されたパチンコ球はガイドレール８に案内されて遊技盤７の遊技領域９の上部に放出される。放出されたパチンコ球は、釘１０や風車１１等に衝突しながら落下する。落下途中のパチンコ球が入賞口１２に入賞すると、入賞パチンコ球は入賞口センサ８３によって検知され、この検知を基に主制御基板６１が払出制御基板６３に指令を出し、この指令を受けた払出制御基板６３が賞球払出装置４１に予め定められた数の賞球を上皿１７又は下皿１８に払い出させる。他方、始動入賞口１４にパチンコ球が入賞すると、入賞パチンコ球は始動口センサ８１によって検知され（Ｓ１）、この検知を基に主制御基板６１が乱数カウンタを用いて所定の確率の下で大当り抽選を行う（Ｓ３）。さらに、可変表示装置１３に表示させる演出の抽選も行う（Ｓ５）。演出抽選によって選択される演出パターンには、たとえば、リーチを経由した当り、外れリーチ、リーチを経由しない外れ等がある。様々な演出パターンを用意しておき、これらから選択したものを可変表示装置１３に表示させることにより、遊技者は当りの期待を持って抽選結果を待つことになる。Ｓ３の大当り抽選とＳ５の演出抽選は、順番を逆にして後者を前者に先駆けて実行させてもよいし、両者同時に実行させてもよい。
【００２４】
大当り抽選の結果、外れが決定すると（Ｓ７）、主制御基板６１は、表示制御基板６９に指令を送り外れ演出を行わせ（Ｓ３１）、併せて外れ処理を行う（Ｓ３３）。この場合の演出には、たとえば、外れリーチ又はリーチを経由しない外れ、がある。可変表示装置１３による演出とともに、スピーカ２５，２５から効果音を発生させる演出を行うようにしてもよい。視覚だけでなく聴覚に訴えることによって、遊技者により期待感を持たせることができるからである。外れ処理が終了したところで外れ演出を終了する（Ｓ３５）。ここで、遊技者は、大当り抽選の結果が外れだったことを知る。Ｓ７に戻り、大当り抽選の結果が当りであった場合は、これを受けた主制御基板６１は、Ｓ５で抽選した演出を実行してから（Ｓ９）、大当り処理を行う（Ｓ１１）。大当り処理が終了したら演出を終了する（Ｓ１３）。これで、一連の処理を終了する。
【００２５】
なお、大当たり処理における主制御基板６１は、ソレノイド８９に開放指令を送り、開閉部材１６を駆動させて大入賞口１５を開放させる。このときの大入賞口１５の開放は、予め設定した時間（たとえば、１０ｓｅｃ）行わせ、開放から設定時間経過後に閉鎖指令を送り開閉部材１６に大入賞口１５を閉鎖させる。これで、大入賞口１５における１ラウンドを終了する。開放状態にある大入賞口１５に入賞したパチンコ球（入賞球）は、大入賞口センサ８５に検知され、その入賞信号は主制御基板６１に送信される。入賞信号を受けた主制御基板６１は、払出制御基板６３に払出指令を送信して賞球払出装置４１に１入賞球毎に予め定めた数の賞球を払い出させる。バイメタルゲート４０が第２の落下路３８を閉鎖して第１の落下路３７を開放しているときは、入賞したパチンコ球は第１落下孔３７ｈから落下する。この落下するパチンコ球はＶセンサ８７によって検知されるが、この検知信号は主制御基板６１に送信される。Ｖセンサ８７の検知信号を受信した主制御基板６１はゲート制御基板７３に指令を送りバイメタルゲート４０を現在の方向とは異なる方向に切替湾曲させる。これによって、第１の落下路３７が閉鎖され、代わりに第２の落下路３８が開放される。Ｖセンサ８７の検知信号は、大入賞口１５の開閉ラウンドを継続させる意味があり、最大で、たとえば、１５ラウンドまで継続させることができる。
【００２６】
（本実施形態の変形例）
図８乃至１０に基づいて説明する。本実施形態の変形例に係る可変入賞装置３１´が、上述した可変入賞装置３１と異なるのは、基本的に振分傾斜部及びバイメタルゲートの部分だけである。したがって、以下においては、両者異なる部分についてのみ説明を行い、両者共通する部分については図３乃至５で使用した符号を同じ符号を図８乃至１０において使用するに止め、重複を避けるために説明を省略する。
【００２７】
すなわち、可変入賞装置３１´の振分傾斜部３６´は、第１の落下路３７´及び第２の落下路３８´により構成してあり、バイメタルゲート４０´は、それが第１傾斜路３７´ａの一部を構成するように取り付けてある。すなわち、バイメタルゲート４０´は、図１０に示すように、上下方向に湾曲できるように、かつ、左方向にパチンコ球が転動するように、ボルト４０ｄ，４０ｄによって第１傾斜路３７´ａの上部端に固定してある。バイメタルゲート４０´は、金属板４０´ａと金属板４０´ｂとを接合して板状に形成したものであり、通電ライン４０´ｗは、上側の金属板４０´ａにのみ接続してある。これは、バイメタルゲート４０´の湾曲は、図１０（ａ）に示す状態から図１０（ｂ）に示す状態にするためであるから、金属板４０´ａのみを膨張させれば足りるからである。この点において、可変入賞装置３１´のほうが、可変入賞装置３１よりも、構造がより単純であるといえる。図１０（ａ）は湾曲前のバイメタルゲート４０´を、図１０（ｂ）は、湾曲後のもの、すなわち、パチンコ球の案内方向を切り替えた後のバイメタルゲート４０´を、それぞれ示している。後者の場合は、第２の落下路３８´方向に下り傾斜することになる。このように、可変入賞装置３１´によれば、バイメタルゲート４０´の下方方向の湾曲によって、パチンコ球の案内切替が行われる。
【００２８】
なお、可変入賞装置３１及び可変入賞装置３１´は、何れも大入賞口１５に設置してあるが、これに限る必要はない。たとえば、一般の入賞を受け入れる入賞口１２，・・や、始動入賞口１４に設置することもできる。さらに、本実施形態では採用しなかった各種の入賞口にも設置可能であることはいうまでもない。
【００２９】
以上のとおり、本実施形態に係るパチンコ機１によれば、少ない部品によって単純に構成された可変入賞装置３１又は可変入賞装置３１´を有するため、それだけパチンコ機１全体の構造も単純なものとすることができる。
【図面の簡単な説明】
【００３０】
【図１】パチンコ機の正面図である。
【図２】図１に示すパチンコ機の斜視図である。
【図３】本実施形態に係る可変入賞装置の斜視図である。
【図４】本実施形態に係る可変入賞装置の斜視図である。
【図５】本実施形態に係る可変入賞装置の斜視図である。
【図６】パチンコ機の制御系を示すブロック図である。
【図７】パチンコ遊技の流れを示すフローチャートである。
【図８】本実施形態の変形例に係る可変入賞装置の斜視図である。
【図９】図８に示す可変入賞装置の平面図である。
【図１０】図８に示す可変入賞装置の正面図である。
【符号の説明】
【００３１】
１                パチンコ機
３                外枠
５                機構枠
７                遊技盤
８                ガイドレール
９                遊技領域
１０                釘
１１                風車
１２                入賞口
１３                可変表示装置
１３ａ              液晶表示部
１４                始動入賞口
１５                大入賞口
１６                開閉部材
１７                上皿
１８                下皿
１９                灰皿
２１                ハンドル
２５                スピーカ
２７                ガラス枠
３１，３１´        可変入賞装置
３３                側壁部
３４                傾斜床部
３５                仕切壁
３６，３６´        振分傾斜部
３７，３７´        第１の落下路
３７ａ，３７´ａ    第１傾斜路
３７ｈ，３７´ｈ    第１落下孔
３８，３８´        第２の落下路
３８ａ，３８´ａ    第２傾斜路
３８ｈ，３８´ｈ    第２落下孔
４０，４０´        バイメタルゲート
４０ａ，４０´ａ    金属板
４０ｂ，４０´ｂ    金属板
４０ｄ              ボルト
４０ｗ，４０´ｗ    通電ライン
４１                賞球払出装置
６１                主制御基板
６３                払出制御基板
６５                音声制御基板
６７                発射制御基板
６９                表示制御基板
７１                表示ドライバ
７３                ゲート制御基板
７５                管理制御基板
７７                ホールコンピュータ
８１                始動口センサ
８３                入賞口センサ
８５                大入賞口センサ
８７                Ｖセンサ
８９                ソレノイド
【図１】
2005185564.tif 000003
【図２】
2005185564.tif 000004
【図３】
2005185564.tif 000005
【図４】
2005185564.tif 000006
【図５】
2005185564.tif 000007
【図６】
2005185564.tif 000008
【図７】
2005185564.tif 000009
【図８】
2005185564.tif 000010
【図９】
2005185564.tif 000011
【図１０】
2005185564.tif 000012